(57)【要約】【課題】壁面に配管の貫通孔を正確な位置に開けることができる配管封止栓を提供することを課題とする。【解決手段】配管の開放端部を封止する栓であって、栓の中心を通る軸線上に短管４が配設された配管封止栓１により解決される。施工は、配管の開放端部に配管封止栓１を取り付ける工程と、建物の壁面に配管が貫通するおよその位置に仮孔７を穿孔する工程と、前工程で穿孔した仮孔７を利用し、配管封止栓１に配設された中空の短管４若しくは掘穿された孔３４にホールソー８の中心部を挿入し、配管封止栓１に配設された中空の短管４若しくは掘穿された孔３４を中心にホールソー８を作動させることで、配管封止栓１の中心を中心とした配管貫通孔１０を建物の壁面に開ける工程とからなる。【選択図】    図１
2008298130.tif 000002
【特許請求の範囲】
【請求項１】
配管の開放端部を封止する栓であって、前記栓の中心を通る軸線上に中空の短管が配設されたことを特徴とする配管封止栓。
【請求項２】
配管の開放端部を封止する栓であって、前記栓の中心を通る軸線上に孔が掘穿されたことを特徴とする配管封止栓。
【請求項３】
建物の壁面に配置される配管の開放端部を封止する栓であって、前記栓の中心を通る軸線上に中空の短管が配設された若しくは孔が掘穿された配管封止栓を用い、
配管の開放端部に配管封止栓を取り付ける工程と、
建物の壁面に配管が貫通するおよその位置に仮孔を穿孔する工程と、
前工程で穿孔した仮孔を利用し、配管封止栓に配設された中空の短管若しくは掘穿された孔にホールソーの中心部を挿入し、配管封止栓に配設された中空の短管若しくは掘穿された孔を中心にホールソーを作動させることで、配管封止栓の中心を中心とした配管貫通孔を建物の壁面に開ける工程、
とからなることを特徴とする建物の壁面の配管貫通孔の施工方法。  
【発明の詳細な説明】
【技術分野】
【０００１】
本発明は、配管の開放端部を防護する配管封止栓に関する。
【背景技術】
【０００２】
建物の衛生器具廻りの配管の接続では、室内にある衛生器具の配管と壁面内にある配管とが接続される。
【０００３】
その際、壁面に配管を通すための孔を開ける必要がある。またその施工時に配管内にゴミなどが入ることを防ぐため、配管の開放端部に図４に示す保護キャップを取り付ける。この保護キャップは配管の保護だけでなく、水道などの配管状況の確認を行う際の封止栓として機能も有する。
【０００４】
【特許文献１】特開２００５−２９９７４０号公報
【発明の開示】
【発明が解決しようとする課題】
【０００５】
配管の施工において、壁面内に配置される配管の開放端部に止水栓を取り付けたのち、壁を施工し、壁の正面側より配管のおよその位置を特定して、配管用の貫通孔を開ける。
【０００６】
しかし、配管のおよその位置を特定して配管用の貫通孔を開けると正確な位置からずれて孔が開いてしまうことがあり、止水栓の座金の大きさと兼ね合いにより貫通孔の位置がずれた場合、止水栓の座金では貫通孔をきちんと隠すことができず、隙間を隠すためにコーキングをしたり、大きな座金を別途用意して取り付けたりしなければならない。
【０００７】
本発明は、以上のような問題点に鑑み、壁面に配管の貫通孔を正確な位置に開けることができる配管封止栓及びその施工方法を提供することを課題とする。
【課題を解決するための手段】
【０００８】
上記の課題は、配管の開放端部を封止する栓であって、前記栓の中心を通る軸線上に中空の短管が配設された配管封止栓により解決される。
【０００９】
本配管封止栓では、配管の開放端部を封止する栓として、配管端部の保護、配管状況を確認するための封止栓として機能するだけでなく、封止栓の中心を通る軸線上に中空の短管が配設されているため、配管施工時の壁面に配管貫通孔を開ける際、配管に配設された短管を確認できるだけの小径の仮孔を開け、この仮孔を利用し、配管封止栓に配設された中空の短管若しくは穿孔された孔にホールソーの中心部を挿入し、配管封止栓に配設された中空の短管若しくは掘穿された孔を中心にホールソーを作動させることで、配管封止栓の中心を中心とした配管貫通孔を壁面に開けることができるので、配管の位置に正確に一致した配管貫通孔を壁面に開けることができる。
【００１０】
また上記の課題は、配管の開放端部を封止する栓であって、前記栓の中心を通る軸線上に孔が掘穿された配管封止栓で解決される。
【００１１】
さらに上記の課題は、建物の壁面に配置される配管の開放端部を封止する栓であって、前記栓の中心を通る軸線上に短管が配設された若しくは孔が掘穿された配管封止栓を用い、配管の開放端部に配管封止栓を取り付ける工程と、建物の壁面に配管が貫通するおよその位置に仮孔を穿孔する工程と、前工程で穿孔した仮孔を利用し、配管封止栓に配設された中空の短管若しくは掘穿された孔にホールソーの中心部を挿入し、配管封止栓に配設された中空の短管若しくは掘穿された孔を中心にホールソーを作動させることで、配管封止栓の中心を中心とした配管貫通孔を建物の壁面に開ける工程とからなる建物の壁面の配管貫通孔の施工方法によっても解決される。
【発明の効果】
【００１２】
本発明は以上のとおりであるから、壁面に配管の貫通孔を正確な位置に開けることができる配管封止栓及びその施工方法を実現することができる。
【発明を実施するための最良の形態】
【００１３】
次に、本発明の実施最良形態を図面に基づいて説明する。
【００１４】
図１に示す配管封止栓１は、蓋部２と外周にねじが切られたねじ部３とねじ部３の径より小径の中空の短管４から構成される。蓋部２は、平面視正六角形のプレートからなり、正六角形の中心部に軸心を一致させて、蓋部２の一方の側にねじ部３が、もう一方の側に短管４が接続されている。ねじ部３の径は封止する配管の径にあわせて選択される。なお、配管封止栓１は一体物からなっていてもよいし、一体物からなる蓋部２とねじ部３に短管４が螺合接続されていてもよい。
【００１５】
次に、図２に基づいて配管封止栓１を用いた配管貫通孔の施工方法について説明する。
【００１６】
図２（イ）に示すように建物の壁体内に配設された配管５の開放端部に配管封止栓１を固定する。配管５の端部内周面と配管封止栓１のねじ部３にはそれぞれねじが切られており、蓋部２の正六角形に適合する工具を用いて回転させることにより配管封止栓１を固定する。
【００１７】
図２（ロ）（ハ）に示すように、配管５の前面に内壁となる石膏ボード６を図示しない下地桟に固定したのち、石膏ボード６に貫通孔を開けるための仮孔７を穿孔する。仮孔７の穿孔は石膏ボード６の背面にある配管５の端部に固定した配管封止栓１の短管４の位置に狙いをつけて、おおよその位置で穿孔する。仮孔の径は、例えば給水配管の径が４５ｍｍの場合は３５ｍｍ程度とする。
【００１８】
次に、図２（ニ）（ホ）に示すように、ホールソー８の開孔寸法を配管の径に適応した寸法に調節し、中空の短管４にホールソー８の先端部９を挿入し、短管４を中心としてホールソー８を作動させる。配管５に固定された配管封止栓１の短管４の位置を中心にホールソー８により配管貫通孔１０が穿孔されるため、配管５の軸線方向中心部と同一軸線を中心とする配管貫通孔１０を穿孔することができる。
【００１９】
最後に図２（へ）（ホ）に示すように貫通孔１０からラチェット１１を挿入して配管封止栓１を取り外す。そして室内側配管１２を接続、座金１３を壁面際に固定する。
【００２０】
配管封止栓１を用いた本施工方法では、配管５に固定された配管封止栓１の短管４の位置を中心にホールソー８により配管貫通孔１０が穿孔されるため、配管５の軸線方向中心部と同一軸線を中心とする配管貫通孔１０を穿孔することができ、配管貫通孔１０を定位置に正確に穿孔することができる。室内側配管１２を接続した後、座金を取り付けると配管貫通孔１０は正確に覆い隠されるため、配管貫通孔１０をずれて開けてしまった場合の補修のためのコーキングが径の大きな座金への交換など行う必要がなく、手直しのない、すっきりとした仕上げとなる。
【００２１】
図３に示す他の実施形態において（イ-１）（イ-２）は、それぞれ塩ビ配管用の配管封止栓１１の側面図、正面図である。
【００２２】
配管封止栓２１は、蓋部２２と封止する塩ビ配管の内径に適合するテーパ部２３と中空の短管２４から構成される。蓋部２２は、平面視円形のプレートからなり、円形の中心部に軸心を一致させて、蓋部２２の一方の側面にテーパ部２３が、もう一方の側面に中空の短管２４が接続されている。テーパ部２３は、封止する塩ビ配管の内径に適合し、挿入性を考慮して先端方向に細くなるようにテーパ状となっている。なお、配管封止栓２１は一体物からなっていてもよいし、一体物からなる蓋部２２とねじ部２３に短管２４が螺合接続されていてもよい。
【００２３】
図３（ロ-１）（ロ-２）、（ハ-１）（ハ-２）はそれぞれ先に示した実施形態の他の実施例について示したもので、配管封止栓の蓋部２，２２に中空の短管４,４４の変わりに孔３４、４４が設けられている。配管貫通孔施工時には壁にこの孔３４，４４の位置をめやすに検討をつけ仮孔を開けるとともに、孔３４，４４にホールソー８の先端部９を挿入して壁面に貫通孔１０を開ける。他の方法については、先に示した実施例と同様である。
【００２４】
以上に、本発明の実施形態を示したが、本発明はこれに限られるものではなく、発明思想を逸脱しない範囲で各種の変更が可能である。例えば、上記の実施形態について配管封止栓を構成する材料に制限はなく、鉄、チタンなどの金属類でもよいし、樹脂でもよい。
【００２５】
また、上記実施形態では、壁面内に設けられた配管を石膏ボードに配管貫通孔を開け、室内側の配管と接続する場合について示したが、外壁パネルに配管貫通孔を開け、屋外の配管と接続する場合に適用してもよいのはいうまでもない。
【図面の簡単な説明】
【００２６】
【図１】本発明の実施形態を示す図であって、（イ）は側面図、（ロ）は正面図である。
【図２】（イ）〜（ト）は配管封止栓の施工方法を説明する側面図である。
【図３】本発明の他の実施形態を示す図であって、（イ-１）（ロ-１）（ハ-１）はそれぞれ側面図、（イ-２）（ロ-２）（ハ-２）はそれぞれ正面図である。
【図４】従来の配管封止栓を示す側面図である。
【符号の説明】
【００２７】
１・・・配管封止栓
２・・・蓋部
３・・・ねじ部
４・・・短管
５・・・配管（給水管）
６・・・石膏ボード
７・・・仮孔
８・・・ホールソー
１０・・・貫通孔
【図１】
2008298130.tif 000003
【図２】
2008298130.tif 000004
【図３】
2008298130.tif 000005
【図４】
2008298130.tif 000006